(57)【要約】【課題】ユーザの趣向に応じた画面を容易に設定することに貢献すること。【解決手段】電子機器は、１又は２以上の配置画像を含む表示画像を表示する表示部と、表示画像を取得する表示画像取得部と、配置画像の表示位置の位置情報を含む、画面設定情報を取得する設定情報取得部と、表示画像に画面設定情報を対応付ける対応関係生成部と、を備える。【選択図】図１
2014134911.tif 000002
【特許請求の範囲】
【請求項１】
１又は２以上の配置画像を含む表示画像を表示する表示部と、
前記表示画像を取得する表示画像取得部と、
前記配置画像の表示位置の位置情報を含む、画面設定情報を取得する設定情報取得部と、
前記表示画像に前記画面設定情報を対応付ける対応関係生成部と、
を備えることを特徴とする電子機器。
【請求項２】
前記画面設定情報に基づいて、前記配置画像を制御する配置画像制御部を備える請求項１に記載の電子機器。
【請求項３】
１又は２以上の前記表示画像、及び当該各表示画像に対応付けられた前記画面設定情報を記憶する記憶部と、
前記記憶部が記憶する前記表示画像から、画面設定画像を選択する選択操作を受け付ける操作部と、を備え、
前記配置画像制御部は、前記画面設定画像に対応付けられた前記画面設定情報に基づいて、前記配置画像を制御する請求項２に記載の電子機器。
【請求項４】
前記配置画像制御部は、第１の電子機器が取得した前記画面設定情報に基づいて、第２の電子機器の前記配置画像を制御する請求項２又は３に記載の電子機器。
【請求項５】
通信部を備え、
前記配置画像制御部は、前記配置画像に対応するデータを保有しない場合、通信部を介して、前記データを取得する請求項２乃至４のいずれか一に記載の電子機器。
【請求項６】
前記画面設定情報は、前記配置画像に対応するアプリケーションを識別するための情報と、前記位置情報と、の対応関係を示す情報を含む請求項１乃至５のいずれか一に記載の電子機器。
【請求項７】
前記配置画像は、アイコン画像、ウィジェット画像、背景画像の少なくともいずれかを含む請求項１乃至６のいずれか一に記載の電子機器。
【請求項８】
１又は２以上の配置画像を含む表示画像を表示する表示部を備える電子機器の制御方法であって、
前記表示画像を取得する工程と、
前記配置画像の表示位置の位置情報を含む、画面設定情報を取得する工程と、
前記表示画像に前記画面設定情報を対応付ける工程と、
を含むことを特徴とする電子機器の制御方法。
【請求項９】
１又は２以上の配置画像を含む表示画像を表示する表示部を備える電子機器を制御するコンピュータに、
前記表示画像を取得する処理と、
前記配置画像の表示位置の位置情報を含む、画面設定情報を取得する処理と、
前記表示画像に前記画面設定情報を対応付ける処理と、
を実行させるプログラム。
【発明の詳細な説明】
【技術分野】
【０００１】
本発明は、電子機器、その制御方法及びプログラムに関する。
【背景技術】
【０００２】
近年、利便性を向上させるため、ユーザが、メニュー画面（メニュー画面を含む）上のアイコン、ウィジェットアプリケーション等の表示位置を決定できる電子機器が増加している。そこで、ユーザは電子機器を使用する際に、使用頻度等に応じて、メニュー画面にアプリケーションのアイコン等を配置する場合がある。なお、ウィジェットアプリケーションとは、メニュー画面上に表示するアプリケーションを意味する。
【０００３】
特許文献１において、ボタン等を表示する表示領域のレイアウトパターン、及びボタン等の表示位置の決定順序を、ユーザの操作に基づいて設定する技術が開示されている。
【先行技術文献】
【特許文献】
【０００４】
【特許文献１】特開２００７−０３４４５６号公報
【発明の概要】
【発明が解決しようとする課題】
【０００５】
なお、上記先行技術文献の開示を、本書に引用をもって繰り込むものとする。以下の分析は、本発明の観点からなされたものである。
【０００６】
上述の通り、ユーザが、メニュー画面上のアイコン等の表示位置を決定できる電子機器が増加している。しかし、メニュー画面上にアイコン等の表示位置を決定する作業は、ユーザにとって面倒な作業である場合が多い。
【０００７】
具体的には、メニュー画面上にアイコン等を配置する場合、まず、ユーザは、メニュー画面にアイコン等を配置したいアプリケーションを選択する。例えば、ユーザは、アプリケーションの一覧画面から、アプリケーションを選択しても良い。そして、ユーザは、選択したアプリケーションのアイコン等を配置する。その後、ユーザは、利便性が向上するように、アイコン等の表示位置を、試行錯誤して変更する場合が多い。
【０００８】
ここで、同一のＯＳ（Operation System）が動作する、異なる電子機器をユーザが購入（買い換え）した場合を考える。同一のＯＳ上では、同一のアプリケーションが動作する場合が多い。そのため、ユーザは、買い換え後の電子機器のメニュー画面において、買い換え前の電子機器と同一になるように、アイコン等を配置する場合が多い。なぜなら、ユーザは、買い換え後の電子機器において、買い換え前の電子機器と同一になるように、アイコン等を配置すれば、利便性の低下を抑制できるからである。
【０００９】
しかし、上述の通り、アイコン等を配置する作業は、ユーザにとって面倒な作業である場合が多い。さらに、アイコン等の数が増加するほど、ユーザの作業量は増加する。
【００１０】
特許文献１に開示された技術では、予め設定した複数のレイアウトパターンから、ユーザにレイアウトパターンを選択させる。そのため、特許文献１に開示された技術では、ユーザの趣向、利便性に応じて、アイコンの表示位置を決定できない。
【００１１】
従って、ユーザの趣向に応じた画面を容易に設定することに貢献する電子機器、その制御方法及びプログラムが、望まれる。
【課題を解決するための手段】
【００１２】
本発明の第１の視点によれば、１又は２以上の配置画像を含む表示画像を表示する表示部と、前記表示画像を取得する表示画像取得部と、前記配置画像の表示位置の位置情報を含む、画面設定情報を取得する設定情報取得部と、前記表示画像に前記画面設定情報を対応付ける対応関係生成部と、を備える電子機器が、提供される。
【００１３】
本発明の第２の視点によれば、１又は２以上の配置画像を含む表示画像を表示する表示部を備える電子機器の制御方法であって、前記表示画像を取得する工程と、前記配置画像の表示位置の位置情報を含む、画面設定情報を取得する工程と、前記表示画像に前記画面設定情報を対応付ける工程と、を含む電子機器の制御方法が、提供される。
なお、本方法は、１又は２以上の配置画像を表示する表示部を備える電子機器という特定の機械に結び付けられている。
【００１４】
本発明の第３の視点によれば、１又は２以上の配置画像を含む表示画像を表示する表示部を備える電子機器を制御するコンピュータに、前記表示画像を取得する処理と、前記配置画像の表示位置の位置情報を含む、画面設定情報を取得する処理と、前記表示画像に前記画面設定情報を対応付ける処理と、を実行させるプログラムが、提供される。
なお、このプログラムは、コンピュータが読み取り可能な記憶媒体に記録することができる。記憶媒体は、半導体メモリ、ハードディスク、磁気記録媒体、光記録媒体等の非トランジェント（non-transient）なものとすることができる。本発明は、コンピュータプログラム製品として具現することも可能である。
【発明の効果】
【００１５】
本発明の各視点によれば、ユーザの趣向に応じた画面を容易に設定することに貢献する電子機器、その制御方法及びプログラムが、提供される。
【図面の簡単な説明】
【００１６】
【図１】一実施形態の概要を説明するための図である。
【図２】第１の実施形態に係る電子機器１の全体構成の一例を示す平面図である。
【図３】メニュー画面の一例を示す図である。
【図４】図４は、電子機器１の内部構成の一例を示すブロック図である。
【図５】画面設定情報の一例を示す図である。
【図６】画面設定の一例を示す図である。
【図７】キャプチャ画像を取得する処理の一例を示すフローチャートである。
【図８】画面設定処理の一例を示すフローチャートである。
【図９】画像一覧の一例の示す図である。
【図１０】画面設定を確認する画面の一例を示す図である。
【図１１】第２の実施形態に係る電子機器１ａの内部構成の一例を示すブロック図である。
【図１２】第３の実施形態に係る電子機器１ａと、サーバ装置２の接続関係の一例を示す図である。
【図１３】配置画像に対応するデータを取得する処理の一例を示すフローチャートである。
【発明を実施するための形態】
【００１７】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００１８】
上述の通り、ユーザが電子機器を使用する際に、ユーザは、使用頻度等に応じて、メニュー画面にアプリケーションのアイコン等を配置する場合がある。しかし、アイコン等の表示位置を決定する作業は、ユーザにとって面倒な作業である場合が多い。従って、ユーザの趣向に応じた画面を容易に設定することに貢献する電子機器が、望まれる。
【００１９】
そこで、一例として、図１に示す電子機器１００を提供する。電子機器１００は、１又は２以上の配置画像を含む表示画像を表示する表示部１０１と、表示画像を取得する表示画像取得部１０２と、配置画像の表示位置の位置情報を含む、画面設定情報を取得する設定情報取得部１０３と、表示画像に画面設定情報を対応付ける対応関係生成部１０４と、を備える。
【００２０】
まず、電子機器１００は、１又は２以上の配置画像を含む表示画像を表示部１０１に表示する。ここで、配置画像とは、表示部１０１に配置される画像を意味する。例えば、配置画像は、アプリケーションのアイコン画像等を意味する。
【００２１】
そして、電子機器１００は、表示部１０１に表示された表示画像を取得する。なお、以下の説明では、取得された表示画像をキャプチャ画像と呼ぶ。
【００２２】
さらに、キャプチャ画像に配置画像が含まれる場合、電子機器１００は、配置画像の表示位置等を含む画面設定情報を取得する。そして、電子機器１００は、キャプチャ画像に、画面設定情報を対応付ける。ここで、画面設定情報とは、配置画像の表示位置等を再現するために必要な情報を意味する。
【００２３】
ここで、ユーザが電子機器１００において、配置画像の配置を再現したい場合を考える。その場合、電子機器１００は、ユーザにキャプチャ画像を選択させることによって、ユーザが所望する配置画像の表示位置等を把握できる。なぜなら、電子機器１００は、キャプチャ画像に、画面設定情報を対応付けているからである。そのため、電子機器１００は、選択されたキャプチャ画像に対応付けられた画面設定情報に基づいて、ユーザの所望する通りに、配置画像の表示位置を再現できる。つまり、電子機器１００において、ユーザは、各配置画像の表示位置等を順に決定する必要がない。従って、電子機器１００は、ユーザの趣向に応じた画面を容易に設定することに貢献する。
【００２４】
以下に具体的な実施の形態について、図面を参照してさらに詳しく説明する。
【００２５】
［第１の実施形態］
第１の実施形態について、図面を用いてより詳細に説明する。なお、以下の説明では、配置画像の表示位置等を決定する処理を画面設定処理と呼ぶ。また、以下の説明では、設定対象の画面を、簡単のため、メニュー画面とする。ここで、メニュー画面とは、アプリケーションを起動するためのアイコン等を表示する画面を意味する。ただし、これは、本実施形態に係る電子機器１において、設定対象の画面をメニュー画面に限定する趣旨ではない。
【００２６】
図２は、本実施形態に係る電子機器１の全体構成の一例を示す平面図である。電子機器１は、表示部１０と、操作部２０と、を含んで構成される。なお、本実施形態に係る電子機器１を、図２で示す形態に限定する趣旨ではない。電子機器１は、スマートフォン、携帯電話、ゲーム機、ＰＣ（Personal Computer）、ＰＤＡ（Personal Data Assistants）等の電子機器であってもよい。ＰＣは、タブレットＰＣ、ノートＰＣ、デスクトップＰＣ等を含み、形態は問わない。
【００２７】
ユーザは、表示部１０により電子機器１が表示する情報を視認する。表示部１０は、液晶パネル、有機ＥＬ（Electro Luminescence）パネル等であっても良い。そして、表示部１０は、１又は２以上の配置画像を含む表示画像を表示しても良い。ここで、本実施形態に係る電子機器１は、ユーザの操作に基づいて、配置画像の表示位置を決定する。例えば、配置画像は、アイコン画像、ウィジェット画像、背景画像等であっても良い。ここで、アイコン画像は、アプリケーションのアイコン画像であっても良い。また、ウィジェット画像は、ウィジェットアプリケーション、又はガジェットアプリケーションと呼ばれる、小型のアプリケーションの画像であってもよい。
【００２８】
図３は、メニュー画面の一例を示す図である。図３の場合、表示部１０に、配置画像２０１〜２０５が表示されている。具体的には、配置画像２０１〜２０４は、アプリケーションのアイコン画像である。また、配置画像２０５は、時計ウィジェットアプリケーションのウィジェット画像である。上述の通り、電子機器１は、ユーザの操作に基づいて、配置画像２０１〜２０５の表示位置を決定する。つまり、電子機器１において、ユーザは、ユーザの趣向に応じて、メニュー画面にアイコン画像等を配置できる。
【００２９】
操作部２０は、電子機器１に対するユーザの操作を受け付ける操作キー等である。操作部２０は、機械式ボタン、又はタッチセンサであっても良い。なお、タッチセンサの方式には、静電容量方式を初めとして各種存在するが、その方式は問わない。また、操作部２０の形態は各種あるが、その詳細は問わない。
【００３０】
図４は、電子機器１の内部構成の一例を示すブロック図である。電子機器１は、表示部１０と、操作部２０と、制御部３０と、記憶部４０と、を含んで構成される。制御部３０は、画像信号生成部３１と、表示画像取得部３２と、設定情報取得部３３と、対応関係生成部３４と、配置画像制御部３５と、を含んで構成される。図４には、簡単のため、本実施形態に係る電子機器１に関係するモジュールを主に記載する。なお、表示部１０、操作部２０は、上述の通りであるため、更なる説明を省略する。
【００３１】
制御部３０は、電子機器１の全体を制御すると共に、図４に示す各部を制御する。制御部３０は、電子機器１に搭載されたコンピュータに、そのハードウェアを用いて、電子機器１の処理を実行させるコンピュータプログラムにより実現することもできる。
【００３２】
画像信号生成部３１は、表示部１０に表示する画像の画像信号を生成する。例えば、メニュー画面を表示する場合、画像信号生成部３１は、背景画像に、１又は２以上の配置画像を重ね合わせた画像データを生成しても良い。そして、画像信号生成部３１は、生成された画像データの画像信号を生成する。
【００３３】
表示画像取得部３２は、表示部１０に表示される表示画像を取得する。具体的には、表示画像取得部３２は、画像信号生成部３１が生成した画像データを、表示画像として取得する。以下の説明では、表示画像取得部３２が取得した表示画像を、キャプチャ画像と呼ぶ。
【００３４】
設定情報取得部３３は、画面設定情報を取得する。ここで、画面設定情報は、配置画像の表示位置を含む情報である。具体的には、画面設定情報は、配置画像に対応するアプリケーションを識別するための情報と、配置画像の表示位置と、の対応関係を示す情報を含むことが好ましい。また、画面設定情報は、背景画像に関する情報を含んでも良い。例えば、画面設定情報は、背景画像ファイル名を含んでも良い。
【００３５】
図５は、画面設定情報の一例を示す図である。図５（ａ）は、キャプチャ画像２１０の一例を示す図である。図５（ａ）の場合、キャプチャ画像２１０は、配置画像２１１〜２１５を含む。図５（ｂ）、図５（ｃ）は、画面設定情報の一例を示す図である。なお、表示位置を説明するにあたり、図５（ａ）に示すように、キャプチャ画像２１０の左上を原点とする。そして、キャプチャ画像２１０において、水平右方向をＸ軸正方向とする。また、キャプチャ画像２１０において、垂直下方向をＹ軸正方向とする。ただし、図５（ｂ）、（ｃ）は、画面設定情報を、図５（ｂ）、図５（ｃ）で示す情報に限定する趣旨ではない。
【００３６】
図５（ｂ）の場合、画面設定情報は、アプリケーションＩＤと、アプリケーション名と、表示態様と、表示位置と、の対応関係を示すテーブルを含む。なお、アプリケーションＩＤとは、アプリケーションを識別するための番号を意味する。
【００３７】
例えば、図５（ｂ）の場合、画面設定情報は、アプリケーションＩＤ「１００００００１」と、アプリケーション名「メールアプリケーション」と、表示態様「アイコン」と、表示位置「ｘ＝１０，ｙ＝２０」と、の対応関係を示すテーブルである。
【００３８】
さらに、図５（ｂ）の場合、画面設定情報は、アプリケーションＩＤ「１０００４３２１」と、アプリケーション名「時計アプリケーション」と、表示態様「ウィジェット」と、表示位置「ｘ＝１０，ｙ＝６０」と、の対応関係を含む。
【００３９】
また、図５（ｃ）に示すように、画面設定情報は、背景画像ファイル名「ｂｇ．ｉｍｇ」を含んでも良い。
【００４０】
対応関係生成部３４は、キャプチャ画像に画面設定情報を対応付ける。具体的には、まず、対応関係生成部３４は、キャプチャ画像ファイルを生成する。その場合、対応関係生成部３４は、ユーザの操作に基づいて、キャプチャ画像ファイルを保存するファイルパスを決定しても良い。そして、対応関係生成部３４は、キャプチャ画像ファイルに、画面設定情報を付加情報データ（以下、メタデータと呼ぶ）として付加しても良い。
【００４１】
または、対応関係生成部３４は、キャプチャ画像ファイル、及び画面設定情報ファイルを生成しても良い。その場合、対応関係生成部３４は、ユーザの操作に基づいて、画面設定情報ファイルを保存するファイルパスを決定しても良い。そして、対応関係生成部３４は、キャプチャ画像ファイルに、画面設定情報ファイルのファイルパスをメタデータとして付加しても良い。なお、キャプチャ画像に画面設定情報を対応付ける方法は各種あるが、その詳細は問わない。
【００４２】
記憶部４０は、電子機器１を動作させるために必要な情報を記憶する。特に、記憶部４０は、１又は２以上のキャプチャ画像、及び各キャプチャ画像に対応付けられた画面設定情報等を記憶する。また、対応関係生成部３４が、キャプチャ画像ファイル等を生成した場合、生成されたキャプチャ画像ファイル等を記憶する。なお、記憶部４０は、メモリーカード等の外部記憶媒体を含んでも良い。なお、外部記憶媒体は、各種あるが、その種別は問わない。
【００４３】
操作部２０は、記憶部４０が記憶するキャプチャ画像から、画面設定画像を選択する選択操作を受け付ける。画面設定画像とは、配置画像の表示位置を変更するために、ユーザに閲覧させるキャプチャ画像である。ここで、制御部３０は、記憶部４０が記憶する、１又は２以上のキャプチャ画像を表示部１０に表示することが好ましい。そして、制御部３０は、ユーザの操作に基づいて、画面設定画像を決定することが好ましい。
【００４４】
配置画像制御部３５は、画面設定情報に基づいて、配置画像を制御する。具体的には、配置画像制御部３５は、画面設定画像に対応付けられた画面設定情報に基づいて、配置画像の表示位置等を決定する。
【００４５】
図６は、画面設定の一例を示す図である。図６（ａ）、（ｃ）は、表示部１０の一例を示す図である。図６（ｂ）は、キャプチャ画像２３０に、画面設定情報２３１が対応付けられていることを示す図である。具体的には、キャプチャ画像２３０は、図６（ｂ）に示すように、配置画像２３２ａ〜２３６ａが配置された画像である。なお、配置画像２３２ａは、メールアプリケーションのアイコン画像である。配置画像２３３ａは、音楽アプリケーションのアイコン画像である。配置画像２３４ａは、アドレス帳アプリケーションのアイコン画像である。配置画像２３５ａは、カメラアプリケーションのアイコン画像である。配置画像２３６ａは、時計アプリケーションのウィジェット画像である。そして、画面設定情報２３１は、配置画像２３２ａ〜２３６ａの表示位置等を含む情報である。
【００４６】
まず、図６（ａ）に示すように、配置画像２２１（メールアプリケーションのアイコン画像）と、配置画像２２２（音楽アプリケーションのアイコン画像）が配置されているとする。そして、図６（ａ）の状態で、操作部２０が、キャプチャ画像２３０を選択する操作を受け付けたとする。その場合、図６（ｃ）に示すように、配置画像制御部３５は、配置画像２３２ａ〜２３６ａの表示位置と同一になるように、配置画像２３２ｂ〜２３６ｂの表示位置を決定する。
【００４７】
ここで、図６（ｃ）に示す表示部１０では、図６（ａ）の状態と比較して、アドレス帳アプリケーションのアイコン画像２３４ｂ、カメラアプリケーションのアイコン画像２３５ｂ、時計アプリケーションのウィジェット画像２３６ｂが追加されている。さらに、図６（ｃ）に示す表示部１０では、図６（ａ）の状態と比較して、メールアプリケーションのアイコン画像、音楽アプリケーションのアイコン画像の表示位置が異なる。
【００４８】
このように、図６（ａ）の状態から図６（ｃ）の状態へ、手作業で、配置画像の表示位置を順に変更することは、ユーザにとって、面倒な作業である。しかし、本実施形態に係る電子機器１では、ユーザは、各配置画像の表示位置を決定する必要がない。本実施形態に係る電子機器１では、ユーザは、配置画像の表示位置を決定する場合、所望のメニュー画面のキャプチャ画像を選択すればよい。従って、本実施形態に係る電子機器１では、ユーザは、直感的に画面設定を行うことができる。
【００４９】
次に、本実施形態に係る電子機器１の動作について説明する。
【００５０】
図７は、キャプチャ画像を取得する処理の一例を示すフローチャートである。
【００５１】
ステップＳ１において、操作部２０が、画面キャプチャ操作を検出したか否かを、制御部３０は判断する。
【００５２】
画面キャプチャ操作が検出された場合（ステップＳ１のＹｅｓ分岐）には、表示画像取得部３２は、キャプチャ画像を取得する（ステップＳ２）。そして、ステップＳ３に遷移する。一方、画面キャプチャ操作が検出されない場合（ステップＳ１のＮｏ分岐）には、キャプチャ画像に、画面設定情報を対応付ける処理を終了する。
【００５３】
ステップＳ３において、キャプチャ画像がメニュー画面の画像であるか否かを、設定情報取得部３３は判断する。キャプチャ画像がメニュー画面の画像である場合（ステップＳ３のＹｅｓ分岐）には、設定情報取得部３３は、画面設定情報を取得する（ステップＳ４）。そして、ステップＳ６に遷移する。一方、キャプチャ画像がメニュー画面の画像でない場合（ステップＳ３のＮｏ分岐）には、制御部３０は、キャプチャ画像を記憶部４０に保存する（ステップＳ５）。そして、キャプチャ画像を取得する処理を終了する。
【００５４】
ステップＳ６において、対応関係生成部３４は、キャプチャ画像に、画面設定情報を対応付ける。
【００５５】
ステップＳ７において、制御部３０は、キャプチャ画像、及び画面設定情報を記憶部４０に保存する。そして、キャプチャ画像を取得する処理を終了する。
【００５６】
図８は、画面設定処理の一例を示すフローチャートである。
【００５７】
ステップＳ１０１において、制御部３０は、ユーザの操作に基づいて、画像閲覧処理を実行する。例えば、制御部３０は、画像一覧を表示する処理を、画像閲覧処理として実行しても良い。
【００５８】
ステップＳ１０２において、操作部２０が、画像決定操作を検出したか否かを、制御部３０は判断する。例えば、操作部２０が、選択決定ボタンを押下する操作を検出した場合、制御部３０は、画像決定操作が行われたと判断する。
【００５９】
操作部２０が画像決定操作を検出した場合（ステップＳ１０２のＹｅｓ分岐）には、ステップＳ１０３に遷移する。一方、操作部２０が画像決定操作を検出しない場合（ステップＳ１０２のＮｏ分岐）には、ステップＳ１０２に遷移し、処理を継続する。
【００６０】
ステップＳ１０３において、画面設定情報が、選択された画像に対応付けられているか否かを、制御部３０は判断する。画面設定情報が、選択された画像に対応付けられている場合（ステップＳ１０３のＹｅｓ分岐）には、ステップＳ１０４に遷移する。画面設定情報が、選択された画像に対応付けられていない場合（ステップＳ１０３のＮｏ分岐）には、ステップＳ１０２に遷移し、処理を継続する。
【００６１】
ステップＳ１０４において、制御部３０は、選択された画像に対応付けられた画面設定情報を表示する。例えば、制御部３０は、各配置画像に対応するアプリケーション名等を、表示部１０に表示しても良い。そして、ステップＳ１０５に遷移する。ここで、制御部３０は、例えば、「このメニュー画面に変更しますか？」等のメッセージを表示部１０に表示しても良い。
【００６２】
ステップＳ１０５において、配置画像に対応するデータを保有するか否かを、配置画像制御部３５は判断する。例えば、アプリケーションのアイコンの表示位置を決定する場合、そのアプリケーションがインストールされているか否かを、配置画像制御部３５は判断する。
【００６３】
配置画像に対応するデータを保有する場合（ステップＳ１０５のＹｅｓ分岐）には、ステップＳ１０６に遷移する。一方、配置画像に対応するデータを保有しない場合（ステップＳ１０５のＮｏ分岐）には、ステップＳ１０５に遷移し、処理を継続する。
【００６４】
ステップＳ１０６において、配置画像制御部３５は、画面設定情報に基づいて、配置画像の表示位置を決定する。例えば、選択された画像が、メニュー画面のキャプチャ画像である場合を考える。その場合、配置画像制御部３５は、画面設定情報に基づいて、メニュー画面に対して、アプリケーションのアイコン等の表示位置を決定する。
【００６５】
ステップＳ１０７において、画面設定処理が完了したか否かを、配置画像制御部３５は判断する。具体的には、メニュー画面の配置画像について、表示位置の決定が終了したか否かを、配置画像制御部３５は判断する。画面設定処理が完了した場合（ステップＳ１０７のＹｅｓ分岐）には、画面設定処理を終了する。画面設定処理が完了していない場合（ステップＳ１０７のＮｏ分岐）には、ステップＳ１０５に遷移し、処理を継続する。
【００６６】
なお、配置画像制御部３５は、第１の電子機器が取得した画面設定情報に基づいて、第２の電子機器の配置画像の表示位置を制御しても良い。つまり、２以上の電子機器１が、画面設定情報を共有しても良い。その場合、外部記憶媒体が、キャプチャ画像、及び画面設定情報を記憶しても良い。
【００６７】
図９は、画像一覧の一例の示す図である。例えば、記憶部４０が、画像３０１〜３０６を記憶しているとする。その場合、図９に示すように、制御部３０は、画像一覧として、画像３０１〜３０６を表示部１０に表示する。画像３０１〜画像３０３は、配置画像を含むキャプチャ画像である。画像３０４〜３０６は、配置画像を含むキャプチャ画像以外の画像である。ここで、例えば、画像３０１が選択された場合を考える。その場合、配置画像制御部３５は、画像３０１と同一になるように、配置画像の表示位置を決定する。一方、例えば、画像３０４が選択された場合を考える。その場合、制御部３０は、画面設定処理を行わない。例えば、画像３０４が選択された場合、制御部は画像３０４を拡大表示等しても良い。
【００６８】
図１０は、画面設定を確認する画面の一例を示す図である。例えば、画像閲覧処理において、図９に示す画像３０１が選択された場合、制御部３０は、図１０に示すような確認画面を表示しても良い。具体的には、図１０の場合、制御部３０は、キャプチャ画像４００（図９に示す画像３０１に相当）と、確認メッセージを表示部１０に表示している。
【００６９】
そして、操作部２０が、図１０に示す「ＯＫ」ボタンを押下する操作を検出したとする。その場合、配置画像制御部３５は、キャプチャ画像４００に対応付けられた画面設定情報に基づいて、配置画像の表示位置を決定する。具体的には、配置画像制御部３５は、図１０に示すキャプチャ画像４００と同一になるように、配置画像の表示位置を決定する。
【００７０】
以上のように、本実施形態に係る電子機器１は、メニュー画面のキャプチャ画像、及び画面設定情報に基づいて、配置画像の表示位置を決定する。そのため、本実施形態に係る電子機器１では、ユーザは、アイコン画像等を再配置する際に、アイコン画像等の表示位置を順に決定する必要がない。さらに、本実施形態に係る電子機器１では、ユーザは、予め取得されたキャプチャ画像を確認して、アイコン画像等の表示位置を決定できる。従って、本実施形態に係る電子機器１は、ユーザの趣向に応じた画面を容易に設定することに貢献する。
【００７１】
［第２の実施形態］
次に、第２の実施形態について、図面を用いてより詳細に説明する。
【００７２】
本実施形態は、通信手段を用いて、異なる電子機器から、画面設定情報等を取得する形態である。なお、本実施形態における説明では、第１の実施形態と重複する部分の説明は省略する。さらに、本実施形態における説明では、第１の実施形態と同一の構成要素には、同一の符号を付し、その説明を省略する。
【００７３】
図１１は、本実施形態に係る電子機器１ａの内部構成の一例を示すブロック図である。図４に示す電子機器１と、図１１に示す電子機器１ａの違いは、通信部５０を備える点である。図１１には、簡単のため、本実施形態に係る電子機器１ａに関係するモジュールを主に記載する。
【００７４】
通信部５０は、通信相手の電子機器１ａと、通信する。通信部５０が、無線通信をする場合、通信部５０は、無線通信を行うためのアンテナを備える。通信方式は各種あるが、その詳細は問わない。なお、以下の説明では、画面設定情報を取得した電子機器１ａを送信機器と呼ぶ。さらに、以下の説明では、送信機器からキャプチャ画像、及び画面設定情報を受信する電子機器１ａを受信機器と呼ぶ。
【００７５】
配置画像制御部３５は、送信機器が取得した画面設定情報に基づいて、受信機器の配置画像を制御する。具体的には、送信機器の通信部５０は、受信機器に、１又は２以上のキャプチャ画像、及び画面設定情報を送信する。そして、受信機器の制御部３０は、受信したキャプチャ画像を、表示部１０に表示する。そして、受信機器の配置画像制御部３５は、ユーザの操作に基づいて、配置画像の表示位置を決定する。
【００７６】
そのため、本実施形態に係る電子機器１ａは、キャプチャ画像、及び画面設定情報を複数の電子機器１ａにおいて共有できる。従って、本実施形態に係る電子機器１ａは、より一層、ユーザの趣向に応じた画面を容易に設定することに貢献する。
【００７７】
［第３の実施形態］
次に、第３の実施形態について、図面を用いてより詳細に説明する。
【００７８】
本実施形態は、配置画像に対応するデータを保有していない場合、ネットワークを介して、データを取得する形態である。なお、本実施形態における説明では、上述の実施形態と重複する部分の説明は省略する。さらに、本実施形態における説明では、上述の実施形態と同一の構成要素には、同一の符号を付し、その説明を省略する。
【００７９】
図１２は、本実施形態に係る電子機器１ａと、サーバ装置２の接続関係の一例を示す図である。
【００８０】
電子機器１ａは、ネットワーク３を介して、サーバ装置２と接続する。ここで、ネットワーク３は、携帯電話回線、インターネット、ＬＡＮ（Local Area Network）等のネットワークを含む。なお、ネットワークは、各種の方式があるが、その詳細は問わない。
【００８１】
サーバ装置２は、配置画像に関係するデータを保有する。例えば、サーバ装置２は、アプリケーションを保有しても良い。そして、電子機器１ａは、サーバ装置２からアプリケーションを取得しても良い。
【００８２】
配置画像制御部３５は、設定対象の配置画像に対応するデータを保有しない場合、通信部５０を介して、データを取得する。例えば、配置画像が、アプリケーションのアイコン画像である場合を考える。その場合、配置画像に対応するデータとは、アプリケーションを動作させるためのデータを意味する。具体的には、配置画像制御部３５は、設定対象の配置画像に対応するデータを保有しない場合、サーバ装置２からデータを取得しても良い。その場合、配置画像制御部３５は、ユーザの操作に基づいて、保有していないデータを取得するか否かを決定しても良い。
【００８３】
次に、本実施形態に係る電子機器１ａの動作について説明する。
【００８４】
図１３は、配置画像に対応するデータを取得する処理の一例を示すフローチャートである。
【００８５】
ここで、配置画像制御部３５は配置画像に対応するデータを保有しない、と判断したとする（ステップＳ１０５のＮｏ分岐）。その場合、ステップＳ２０１において、配置画像に対応するデータを取得するか否かを、配置画像制御部３５は判断する。その際、配置画像制御部３５は、「データをダウンロードしますか？」等のメッセージを表示しても良い。これは、不要なデータの追加、及び不要なネットワーク接続を回避するために有効である。
【００８６】
配置画像に対応するデータを取得する場合（ステップＳ２０１のＹｅｓ分岐）には、ネットワークを介して、データを取得する（ステップＳ２０２）。そして、図８に示すステップＳ１０６に遷移する。一方、配置画像に対応するデータを取得しない場合（ステップＳ２０１のＮｏ分岐）には、図８に示すステップＳ１０５に遷移し、処理を継続する。
【００８７】
例えば、図９に示す画像３０１が選択されたとする。しかし、電子機器１は、配置画像Ａで示すアプリケーションを保有していないとする。その場合、通信部５０は、ネットワークを介して、配置画像Ａで示すアプリケーションをサーバ装置２から取得しても良い。
【００８８】
以上のように、本実施形態に係る電子機器１ａでは、配置画像に対応するデータを保有しない場合、そのデータを取得する。本実施形態に係る電子機器１ａは、より一層、容易に、画面設定処理を再現することに貢献する。
【００８９】
上記の実施形態の説明では、メニュー画面での、アプリケーションの表示位置の決定を例示して説明した。しかし、これは、本発明をメニュー画面での、アプリケーションの表示位置の決定に限定する趣旨ではない。例えば、本発明を、所定のアプリケーション内において、アイコン等の表示位置の決定に適用しても良い。
【００９０】
上記の実施形態の一部又は全部は、以下の付記のようにも記載され得るが、以下には限られない。
【００９１】
（付記１）上記第１の視点に係る電子機器の通りである。
【００９２】
（付記２）前記画面設定情報に基づいて、前記配置画像を制御する配置画像制御部を備える付記１に記載の電子機器。
【００９３】
（付記３）１又は２以上の前記表示画像、及び当該各表示画像に対応付けられた前記画面設定情報を記憶する記憶部と、前記記憶部が記憶する前記表示画像から、画面設定画像を選択する選択操作を受け付ける操作部と、を備え、前記配置画像制御部は、前記画面設定画像に対応付けられた前記画面設定情報に基づいて、前記配置画像を制御する付記２に記載の電子機器。
【００９４】
（付記４）前記配置画像制御部は、第１の電子機器が取得した前記画面設定情報に基づいて、第２の電子機器の前記配置画像を制御する付記２又は３に記載の電子機器。
【００９５】
（付記５）通信部を備え、前記配置画像制御部は、前記配置画像に対応するデータを保有しない場合、通信部を介して、前記データを取得する付記２乃至４のいずれか一に記載の電子機器。
【００９６】
（付記６）前記画面設定情報は、前記配置画像に対応するアプリケーションを識別するための情報と、前記位置情報と、の対応関係を示す情報を含む付記１乃至５のいずれか一に記載の電子機器。
【００９７】
（付記７）前記配置画像は、アイコン画像、ウィジェット画像、背景画像の少なくともいずれかを含む付記１乃至６のいずれか一に記載の電子機器。
【００９８】
（付記８）上記第２の視点に係る電子機器の制御方法の通りである。
【００９９】
（付記９）前記画面設定情報に基づいて、前記配置画像を制御する配置画像制御工程を含む付記８に記載の電子機器の制御方法。
【０１００】
（付記１０）１又は２以上の前記表示画像、及び当該各表示画像に対応付けられた前記画面設定情報を記憶する工程と、前記記憶部が記憶する前記表示画像から、画面設定画像を選択する選択操作を受け付ける工程と、を含み、前記配置画像制御工程において、前記画面設定画像に対応付けられた前記画面設定情報に基づいて、前記配置画像を制御する付記９に記載の電子機器の制御方法。
【０１０１】
（付記１１）前記配置画像制御工程において、前記配置画像に対応するデータを保有しない場合、前記データを取得する付記９又は１０に記載の電子機器の制御方法。
【０１０２】
（付記１２）上記第３の視点に係るプログラムの通りである。
【０１０３】
（付記１３）前記画面設定情報に基づいて、前記配置画像を制御する配置画像制御処理を実行する付記１２に記載のプログラム。
【０１０４】
（付記１４）１又は２以上の前記表示画像、及び当該各表示画像に対応付けられた前記画面設定情報を記憶する処理と、前記記憶部が記憶する前記表示画像から、画面設定画像を選択する選択操作を受け付ける処理と、を実行し、前記配置画像制御処理において、前記画面設定画像に対応付けられた前記画面設定情報に基づいて、前記配置画像を制御する付記１３に記載のプログラム。
【０１０５】
（付記１５）前記配置画像制御処理において、前記配置画像に対応するデータを保有しない場合、前記データを取得する付記１３又は１４に記載のプログラム。
【０１０６】
なお、引用した上記の特許文献の開示は、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の示要素（各請求項の各要素、各実施形態ないし実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【０１０７】
１、１ａ、１００  電子機器
２  サーバ装置
３  ネットワーク
１０、１０１  表示部
２０  操作部
３０  制御部
３１  画像信号生成部
３２、１０２  表示画像取得部
３３、１０３  設定情報取得部
３４、１０４  対応関係生成部
３５  配置画像制御部
４０  記憶部
５０  通信部
２０１〜２０５、２１１〜２１５、２２１、２２２、２３２ａ〜２３６ａ、２３２ｂ〜２３６ｂ  配置画像
２１０、２３０、４００  キャプチャ画像
２３１  画面設定情報
３０１〜３０６  画像
【図１】
2014134911.tif 000003
【図２】
2014134911.tif 000004
【図３】
2014134911.tif 000005
【図４】
2014134911.tif 000006
【図５】
2014134911.tif 000007
【図６】
2014134911.tif 000008
【図７】
2014134911.tif 000009
【図８】
2014134911.tif 000010
【図９】
2014134911.tif 000011
【図１０】
2014134911.tif 000012
【図１１】
2014134911.tif 000013
【図１２】
2014134911.tif 000014
【図１３】
2014134911.tif 000015